【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
光源手段と、該光源手段から出射された光束を偏向する光偏向器と、該光偏向器の偏向面により偏向された光束を被走査面上に結像させる結像光学系と、を各々備えた走査光学系を有する光走査装置において、
前記光偏向器は、前記複数の走査光学系に共通に用いられており、
該複数の走査光学系の各々の光路中において、該結像光学系と該被走査面との間に少なくとも１枚のミラーを設け、
主走査断面内において、該少なくとも１枚のミラーのうち最も被走査面側に位置するミラーは、該ミラーの面法線の向きに対応して凹面形状、もしくは凸面形状であり、
主走査断面内において、該複数の走査光学系の最も被走査面側の配置された各々のミラーのうち、その面法線が同一方向のミラーは、同一の形状より成ることを特徴とする光走査装置。
【請求項２】
光源手段と、該光源手段から出射された光束を偏向する光偏向器と、該光偏向器の偏向面により偏向された光束を被走査面上に結像させる結像光学系と、を各々備えた走査光学系を有する光走査装置において、
前記光偏向器は、前記複数の走査光学系に共通に用いられており、
該複数の走査光学系の各々の光路中において、該結像光学系と該被走査面との間に少なくとも１枚のミラーを設け、該少なくとも１枚のミラーのうち最も被走査面側に位置するミラーに、該ミラーを湾曲させるミラーベンディング機構を設け、
主走査断面内において、該ミラーベンディング機構は該ミラーの両端を支持すると共に、該ミラーの支持点の外側の一点を押圧し、入射光束に対し凹面を形成する機構と、該ミラーの両端の支持点の間の一点を押圧し、入射光束に対し凸面を形成する機構のいずれか一方を有し、その押圧位置を支持点に対して互いに等距離の位置としており、
該ミラーベンディング機構を設けた該ミラーは、主走査断面内において、該ミラーの面法線の向きに対応して凹面形状、もしくは凸面形状であることを特徴とする光走査装置。
【請求項３】
前記ミラーの押圧位置を副走査断面内おいて隣接する走査光学系で主走査方向において、該結像光学系の光軸に対して逆方向となるように設定していることを特徴とする請求項２記載の光走査装置。
【請求項４】
主走査断面内において、前記複数の走査光学系の最も被走査面側の配置された各々のミラーのうち、その面法線が同一方向のミラーは、同一の形状より成ることを特徴とする請求項２又は３に記載の光走査装置。
【請求項５】
前記複数の走査光学系の各々の最も被走査面側に配置されたミラーは、前記結像光学系よりも前記被走査面側に近い位置に配置されていることを特徴とする請求項１乃至４の何れか１項に記載の光走査装置。
【請求項６】
前記結像光学系の以降に配置されるミラーの枚数は、各々の走査光学系において同数であることを特徴とする請求項１乃至５の何れか１項に記載の光走査装置。
【請求項７】
前記走査線湾曲の調整を行う際には、前記複数の走査光学系の光束に対して各々の軸上及び最軸外の３つの像高における照射位置を測定し、該測定された照射位置のデータから各走査光学系の走査線湾曲量を算出し、該算出した結果により、前記ミラーベンディング機構により補正される方向に最もその走査線湾曲量が最大の走査光学系を基準の走査光学系とし、他の走査光学系を該ミラーベンディング機構により該基準の走査光学系の走査線湾曲量に一致するように調整することを特徴とする請求項２又は３に記載の光走査装置。
【請求項８】
各々が請求項１乃至７の何れか１項に記載の光走査装置の被走査面に配置され、互いに異なった色の画像を形成する複数の像担持体を有することを特徴とするカラー画像形成装置。
【請求項９】
外部機器から入力した色信号を異なった色の画像データに変換して各々の光走査装置に入力せしめるプリンタコントローラを有していることを特徴とする請求項８に記載のカラー画像形成装置。
【手続補正２】
【補正対象書類名】明細書
【補正対象項目名】００１４
【補正方法】変更
【補正の内容】
【００１４】
請求項１の発明の光走査装置は、
光源手段と、該光源手段から出射された光束を偏向する光偏向器と、該光偏向器の偏向面により偏向された光束を被走査面上に結像させる結像光学系と、を各々備えた走査光学系を有する光走査装置において、
前記光偏向器は、前記複数の走査光学系に共通に用いられており、
該複数の走査光学系の各々の光路中において、該結像光学系と該被走査面との間に少なくとも１枚のミラーを設け、
主走査断面内において、該少なくとも１枚のミラーのうち最も被走査面側に位置するミラーは、該ミラーの面法線の向きに対応して凹面形状、もしくは凸面形状であり、
主走査断面内において、該複数の走査光学系の最も被走査面側の配置された各々のミラーのうち、その面法線が同一方向のミラーは、同一の形状より成ることを特徴としている。
【手続補正３】
【補正対象書類名】明細書
【補正対象項目名】００１５
【補正方法】変更
【補正の内容】
【００１５】
請求項２の発明の光走査装置は、
光源手段と、該光源手段から出射された光束を偏向する光偏向器と、該光偏向器の偏向面により偏向された光束を被走査面上に結像させる結像光学系と、を各々備えた走査光学系を有する光走査装置において、
前記光偏向器は、前記複数の走査光学系に共通に用いられており、
該複数の走査光学系の各々の光路中において、該結像光学系と該被走査面との間に少なくとも１枚のミラーを設け、該少なくとも１枚のミラーのうち最も被走査面側に位置するミラーに、該ミラーを湾曲させるミラーベンディング機構を設け、
主走査断面内において、該ミラーベンディング機構は該ミラーの両端を支持すると共に、該ミラーの支持点の外側の一点を押圧し、入射光束に対し凹面を形成する機構と、該ミラーの両端の支持点の間の一点を押圧し、入射光束に対し凸面を形成する機構のいずれか一方を有し、その押圧位置を支持点に対して互いに等距離の位置としており、
該ミラーベンディング機構を設けた該ミラーは、主走査断面内において、該ミラーの面法線の向きに対応して凹面形状、もしくは凸面形状であることを特徴としている。
【手続補正４】
【補正対象書類名】明細書
【補正対象項目名】００１６
【補正方法】変更
【補正の内容】
【００１６】
請求項３の発明は請求項２の発明において、
前記ミラーの押圧位置を副走査断面内おいて隣接する走査光学系で主走査方向において、該結像光学系の光軸に対して逆方向となるように設定していることを特徴としている。
【手続補正５】
【補正対象書類名】明細書
【補正対象項目名】００１７
【補正方法】変更
【補正の内容】
【００１７】
請求項４の発明は請求項２又は３の発明において、
主走査断面内において、前記複数の走査光学系の最も被走査面側の配置された各々のミラーのうち、その面法線が同一方向のミラーは、同一の形状より成ることを特徴としている。
【手続補正６】
【補正対象書類名】明細書
【補正対象項目名】００１８
【補正方法】変更
【補正の内容】
【００１８】
請求項５の発明は請求項１乃至４のいずれか１項の発明において、
前記複数の走査光学系の各々の最も被走査面側に配置されたミラーは、前記結像光学系よりも前記被走査面側に近い位置に配置されていることを特徴としている。
【手続補正７】
【補正対象書類名】明細書
【補正対象項目名】００１９
【補正方法】変更
【補正の内容】
【００１９】
請求項６の発明は請求項１乃至５のいずれか１項の発明において、
前記結像光学系の以降に配置されるミラーの枚数は、各々の走査光学系において同数であることを特徴としている。
【手続補正８】
【補正対象書類名】明細書
【補正対象項目名】００２０
【補正方法】変更
【補正の内容】
【００２０】
請求項７の発明は請求項２又は３の発明において、
前記走査線湾曲の調整を行う際には、前記複数の走査光学系の光束に対して各々の軸上及び最軸外の３つの像高における照射位置を測定し、該測定された照射位置のデータから各走査光学系の走査線湾曲量を算出し、該算出した結果により、前記ミラーベンディング機構により補正される方向に最もその走査線湾曲量が最大の走査光学系を基準の走査光学系とし、他の走査光学系を該ミラーベンディング機構により該基準の走査光学系の走査線湾曲量に一致するように調整することを特徴としている。
【手続補正９】
【補正対象書類名】明細書
【補正対象項目名】００２１
【補正方法】変更
【補正の内容】
【００２１】
請求項８の発明のカラー画像形成装置は、
各々が請求項１乃至７の何れか１項に記載の光走査装置の被走査面に配置され、互いに異なった色の画像を形成する複数の像担持体を有することを特徴としている。
【手続補正１０】
【補正対象書類名】明細書
【補正対象項目名】００２２
【補正方法】変更
【補正の内容】
【００２２】
請求項９の発明は請求項８の発明において、
外部機器から入力した色信号を異なった色の画像データに変換して各々の光走査装置に入力せしめるプリンタコントローラを有していることを特徴としている。